(57)【要約】【課題】操作者に向かって内容液を噴出させるのに好適であって、内容液を噴出させる操作もしやすいトリガー式噴出器を提案する。【解決手段】本発明のトリガー式噴出器において、ベース２は、容器１の口部に装着されるとともにステム３ａを挿通させる装着筒部２ａと、装着筒部２ａから前方に向けて延出する支持壁２ｂとを有し、操作レバー４は、支持壁２ｂの先端部から後方に向かって上向きに傾斜する上向き傾斜部４ｂと、上向き傾斜部４ｂに設けられる窓穴４ｃと、上向き傾斜部４ｂの上端部から後方に向かって下向きに傾斜するとともに操作レバー４を揺動させる際に力を加える部位となる操作部４ｅとを有し、ステム３ａは、装着筒部２ａに挿通される縦部分３ｂと、縦部分３ｂの上端部から前方に向かって上向きに傾斜するとともにノズル３ｄを窓穴４ｃから突出させる傾斜部分３ｃとを有する。【選択図】図１
2019189285.tif 000002
【特許請求の範囲】
【請求項１】
容器の口部に装着されるベースと、該ベースに揺動可能に保持される操作レバーと、該ベースによって該口部に保持されるとともに、該容器の内容液を吸引して圧送するポンプ、及び先端にノズル備えるステムを有し、該操作レバーの牽曳による該ステムの昇降移動によって該ポンプを駆動させて該ノズルから内容液を噴出させるボディと、を備えるトリガー式噴出器であって、
前記ベースは、前記口部に装着されるとともに前記ステムを挿通させる装着筒部と、該装着筒部から前方に向けて延出する支持壁と、を有し、
前記操作レバーは、前記支持壁の先端部から後方に向かって上向きに傾斜する上向き傾斜部と、該上向き傾斜部に設けられる窓穴と、該上向き傾斜部の上端部から後方に向かって下向きに傾斜するとともに該操作レバーを揺動させる際に力を加える部位となる操作部と、を有し、
前記ステムは、前記装着筒部に挿通される縦部分と、該縦部分の上端部から前方に向かって上向きに傾斜するとともに前記ノズルを前記窓穴から突出させる傾斜部分と、を有するトリガー式噴出器。
【請求項２】
前記ステムは、前記縦部分の外面から突出し、該ステムを下降させた際に前記装着筒部に当接して該ステムの下降を停止させる突起を有する請求項１に記載のトリガー式噴出器。
【請求項３】
前記ノズルを覆うキャップ部、該キャップ部に連結するとともに前記窓穴を通して前記縦部分に向かう接続部、及び該接続部に連結するとともに前記装着筒部と前記突起との間に介在するストッパー、を備えるキャップ体を更に有する請求項２に記載のトリガー式噴出器。
【請求項４】
前記ストッパーは、前記縦部分に嵌合保持される請求項３に記載のトリガー式噴出器。
【請求項５】
前記支持壁は、前記装着筒部の上端部から前記窓穴に向かって延在し、該窓穴から挿入される前記ストッパーを該装着筒部と前記突起との間に案内する支持壁傾斜部を有する請求項３又は４に記載のトリガー式噴出器。
【発明の詳細な説明】
【技術分野】
【０００１】
本発明は、操作レバーの牽曳によってポンプを駆動させて、容器に収容した内容物をノズルから噴出させるトリガー式噴出器に関する。
【背景技術】
【０００２】
各種の洗剤をはじめ、芳香剤や化粧料などの内容液を収容する容器においては、操作レバーの牽曳によってポンプを駆動させて、容器に収容した内容液をノズルから噴出させるトリガー式噴出器が多用されている。従来、このようなトリガー式噴出器は、特許文献１に示されるように、ノズルの位置する側と操作レバーにおける指を掛ける側が同一であることが一般的である。そしてこのようなトリガー式噴出器を容器に取り付けて片手で内容液を噴出させる場合は、操作者から離れる向きにノズルを指向させた状態で、ノズルとは逆側になる容器の後方を親指の根元で支持する一方、他の指（例えば薬指と小指）で容器の前方を支持し、更に残りの指（人差し指と中指）で操作レバーを手前に引いて、操作者から離れる向きに内容液を噴出させることが通常の使い方となる。
【０００３】
一方、例えば化粧料などを自分の顔や頭に塗布するときのように、操作者に向かって内容液を噴出させたいとする要望もある。このような場合は、例えば特許文献２に示すような容器方が使いやすくなる。ここで特許文献２に示された容器は、操作レバーが容器の上方に設けられている。そして、内容液を操作者に向かって片手で噴出させるには、噴出口を操作者に向かって指向させた状態で、噴出口が位置する容器の前方を親指の根元で支持するとともに、他の指（例えば薬指と小指）で容器の後方を支持し、更に残りの指（人差し指と中指）は上方に設けられた操作レバーに掛けておく。そして、操作レバーに掛けた指を下向き斜め方向に動かし、操作レバーを押すようにして内容液を噴出させる。
【先行技術文献】
【特許文献】
【０００４】
【特許文献１】特開２００４−６０６１７号公報
【特許文献２】特開２０１１−２３０８４２号公報
【発明の概要】
【発明が解決しようとする課題】
【０００５】
ところで特許文献２の容器では、容器を片手で保持した状態において、容器の後方を支持する指（例えば薬指と小指）と操作レバーを動かす指（例えば人差し指と中指）の位置が比較的離れているが、これらの指の位置が近くなって容器と操作レバーを片手で握るように保持できれば、操作レバーを無理なく引けるため、操作性がより良くなるといえる。
【０００６】
本発明は、このような検討に基づいて行われたものであり、操作者に向かって内容液を噴出させるのに好適であって、内容液を噴出させる操作もしやすいトリガー式噴出器を提供することを目的とする。
【課題を解決するための手段】
【０００７】
本発明は、容器の口部に装着されるベースと、該ベースに揺動可能に保持される操作レバーと、該ベースによって該口部に保持されるとともに、該容器の内容液を吸引して圧送するポンプ、及び先端にノズル備えるステムを有し、該操作レバーの牽曳による該ステムの昇降移動によって該ポンプを駆動させて該ノズルから内容液を噴出させるボディと、を備えるトリガー式噴出器であって、
前記ベースは、前記口部に装着されるとともに前記ステムを挿通させる装着筒部と、該装着筒部から前方に向けて延出する支持壁と、を有し、
前記操作レバーは、前記支持壁の先端部から後方に向かって上向きに傾斜する上向き傾斜部と、該上向き傾斜部に設けられる窓穴と、該上向き傾斜部の上端部から後方に向かって下向きに傾斜するとともに該操作レバーを揺動させる際に力を加える部位となる操作部と、を有し、
前記ステムは、前記装着筒部に挿通される縦部分と、該縦部分の上端部から前方に向かって上向きに傾斜するとともに前記ノズルを前記窓穴から突出させる傾斜部分と、を有するトリガー式噴出器である。
【０００８】
前記ステムは、前記縦部分の外面から突出し、該ステムを下降させた際に前記装着筒部に当接して該ステムの下降を停止させる突起を有することが好ましい。
【０００９】
前記ノズルを覆うキャップ部、該キャップ部に連結するとともに前記窓穴を通して前記縦部分に向かう接続部、及び該接続部に連結するとともに前記装着筒部と前記突起との間に介在するストッパー、を備えるキャップ体を更に有することが好ましい。
【００１０】
前記ストッパーは、前記縦部分に嵌合保持されることが好ましい。
【００１１】
前記支持壁は、前記装着筒部の上端部から前記窓穴に向かって延在し、該窓穴から挿入される前記ストッパーを該装着筒部と前記突起との間に案内する支持壁傾斜部を有することが好ましい。
【発明の効果】
【００１２】
上述したベース、操作レバー、ボディを有する本発明のトリガー式噴出器では、ノズルの位置する側に対し、操作レバーを揺動させる際に力を加える部位（操作部）はこれの反対に位置する。また操作部は、操作レバーにおける上向き傾斜部の上端部から後方に向かって下向きに傾斜するように設けられている。このため、ノズルを操作者に向かって指向させた状態において、ノズルが位置する容器の前方（ベースの前方でもよい）を親指の根元で支持すると、容器の後方（ベースの後方）から操作部にかけての部位に他の指が自然にかかり、容器と操作レバーを片手で握るように保持することができる。よって操作レバーを無理なく引くことができるため、操作性がより良くなる。
【００１３】
このようなトリガー噴出器においては、操作レバーが過剰に引かれることを防止する機構を設けることが好ましい。ここで、上述した突起をステムの縦部分に設ける場合は、簡単な構成でこの機能を実現することができる。
【００１４】
そして上述したキャップ体を設ける場合は、キャップ部によってノズルへの埃等の付着を防止することができるうえ、操作レバーに触れても、ストッパーによってステムは移動しないため、内容液の不用意な噴出も防止することができる。
【００１５】
またストッパーをステムの縦部分に嵌合保持させる場合は、キャップ体が簡単に外れることがないため、例えば輸送中にキャップ体が脱落する等の不具合が防止できる。
【００１６】
また上述した支持壁傾斜部を設ける場合は、キャップ体を取り付けるにあたり、窓穴から挿入されるストッパーを装着筒部と突起との間に案内することができるため、取り付けがより行い易くなる。
【図面の簡単な説明】
【００１７】
【図１】本発明に従うトリガー式噴出器の一実施形態を容器に装着した状態で示した図（容器、ステム、及びノズルは側面図であり、その他は側面視での断面図）である。
【図２】図１に示したキャップ体につき、（ａ）は側面視での断面図であり、（ｂ）は底面図である。
【図３】キャップ体を取り付ける状況を説明する図である。
【図４】操作レバーを引いて内容液を噴出させる状況を説明する図である。
【発明を実施するための形態】
【００１８】
以下、本発明に従うトリガー式噴出器の一実施形態について、図面を参照しながら説明する。なお、本明細書等における「上」、「下」の関係は、特に言及しない場合は、図１に示すように容器（符号１）を正立させた状態での向きをいう。また「前」とは、容器の中心軸線を挟んでノズル（符号３ｄ）が位置する側（図１では右側）であり、「後」とはその逆側（図１では左側）である。そして「左」、「右」とは、操作者がノズル３ｄの噴出口に対して正対した状態において、操作者にとっての左右方向である。
【００１９】
本実施形態におけるトリガー式噴出器は、図示したような容器１に装着して使用される。ここで容器１は、円板状をなす底部１ａと、底部１ａの外縁から上方に向けて起立する円筒状をなす胴部１ｂとを備えている。胴部１ｂの上部には、図面には表れていないが円筒状をなす口部が設けられている。なお口部の外周面には、雄ねじ部が設けられている。このような形態になる容器１には、例えば化粧料等の内容液が収容される。
【００２０】
ここで本実施形態のトリガー式噴出器は、ベース２と、ボディ３と、操作レバー４と、キャップ体５で構成されている。
【００２１】
ベース２は、容器１の口部に装着される装着筒部２ａを備えている。本実施形態の装着筒部２ａは、図示したように、下部、中間部、及び上部で直径が異なるものの、全体として筒状をなすものである。ここで、装着筒部２ａの下部における内周面には、口部に設けた雄ねじ部に適合する雌ねじ部が設けられていて、両者を螺合させることによって口部に保持されるようにしている。なお、アンダーカットによって保持されるようにしてもよい。またベース２は、装着筒部２ａから前方に向けて全体的に上向きに延出する支持壁２ｂを備えている。支持壁２ｂの先端部には、左右方向に突出する一対の軸部２ｃが設けられている。また本実施形態の支持壁２ｂは、その上部において、装着筒部２ａの上端部から前方に向かって上向きに傾斜する支持壁傾斜部２ｄを備えている。
【００２２】
ボディ３は、ベース２によって容器１の口部に吊り下げ保持されるものである。なお図示は省略するが、ボディ３は、容器１の内部に位置するとともに内容液を吸引して圧送するポンプと、底部１ａに向けて延在してポンプに内容液を送給するパイプとを備えている。またポンプには、ポンプで圧送された内容液を通すステム３ａが接続されている。ここで本実施形態のステム３ａは、装着筒部２ａを挿通してポンプにつながる縦部分３ｂと、縦部分３ｂの上端部から前方に向かって上向きに傾斜する傾斜部分３ｃとで構成されている。また傾斜部分３ｃの先端には、傾斜部分３ｃと同方向に指向するとともにステム３ａを通過した内容液を先端の噴出口から噴出させるノズル３ｄが設けられている。また縦部分３ｂの外周面には、側面視で概略円柱状をなすととともに操作レバー４に係合する係合凸部３ｅと、係合凸部３ｅよりもやや下方に設けられ、側面視で概略台形状をなす突起３ｆとが設けられている。なお図示した突起３ｆは、縦部分３ｂの後方に設けられているが、本実施形態では他にも、この突起３ｆに対して周方向に間隔をあけるとともに、後述するストッパー５ｃの上方に位置する他の突起３ｆも備えている。なお突起３ｆは、縦部分３ｂの全周に亘って延在するものでもよい。
【００２３】
操作レバー４は、支持壁２ｂを挟んで左右方向に一対設けられる側壁４ａを備えている。図示は省略するが側壁４ａには、軸部２ｃに係合して、操作レバー４をベース２に揺動可能に保持する凹部（第一凹部）が設けられている。なお、操作レバー４をベース２に揺動可能に保持するには、操作レバー４に軸部を設けるとともにベース２に第一凹部を設けてもよい。また側壁４ａは、係合凸部３ｅに係合して、操作レバー４をベース２に対して揺動させた際にステム３ａを押し下げる不図示の凹部（第二凹部）も備えている。なお、係合凸部３ｅを操作レバー４に設けるとともにステム３ａに第二凹部を設けてもよい。
【００２４】
操作レバー４の前方には、側壁４ａ同士を連結するとともに、支持壁２ｂの先端部から後方に向かって上向きに傾斜する上向き傾斜部４ｂが設けられている。また操作レバー４は、上向き傾斜部４ｂの上部において、上向き傾斜部４ｂを取り除くようにして設けられた窓穴４ｃを備えていて、窓穴４ｃを通してノズル３ｄを突出させている。なお、本実施形態の上向き傾斜部４ｂは、窓穴４ｃの下方において、下向きに傾斜するとともに側壁４ａ同士を連結する操作レバー補強部４ｄに連結している。また操作レバー４は、上向き傾斜部４ｂの上端部（本実施形態では窓穴４ｃの上縁に位置する部分）から後方に向かって下向きに傾斜するとともに操作レバー４を揺動させる際に力を加える部位となる操作部４ｅを備えている。
【００２５】
キャップ体５は、有蓋筒状をなし、ノズル３ｄの先端を覆うキャップ部５ａと、キャップ部５ａに連結するとともに窓穴４ｃを通してステム３ａの縦部分３ｂに向かう棒状の接続部５ｂと、接続部５ｂに連結するとともに装着筒部２ａの上端部と突起３ｆの下端部との間に介在するストッパー５ｃとを備えている。また接続部５ｂの下方には、接続部５ｂを補強する接続部補強壁５ｄが設けられている。接続部補強壁５ｄは、図１に示す例ではストッパー５ｃの上下方向中間部分に至る程度の突出量であるが、図２（ａ）に示すように、ストッパー５ｃの下端部に揃うまで突出させてもよい。なお、図１の状態よりも接続部補強壁５ｄの突出量を増やす場合は、操作レバー補強部４ｄ長さは短くして、これに干渉しないようにしておく。ここで本実施形態のストッパー５ｃは、図２（ｂ）に示すように底面視でＣ字状をなすものであって、ステム３ａの縦部分３ｂに嵌合保持されるようにしている。
【００２６】
ところで、図１に示すように本実施形態のベース２における支持壁２ｂの上部には、支持壁傾斜部２ｄを設けている。ここで支持壁傾斜部２ｄは、装着筒部２ａの上端部から窓穴４ｃに向かって延在していて、図３に示すように窓穴４ｃからストッパー５ｃを挿入すると、ストッパー５ｃは、支持壁傾斜部２ｄによって装着筒部２ａの上端部と突起３ｆの下端部との間に案内される。このように支持壁傾斜部２ｄを設ける場合は、ストッパー５ｃを誘導することができるため、キャップ体５の取り付けがより行い易くなる。
【００２７】
このように構成されるトリガー式噴出器は、ノズル３ｄがキャップ部５ａによって覆われているため、長期間使用しない場合でもノズル３ｄへの埃等の付着を防止することができる。また、キャップ体５を取り付けた状態では、操作レバー４に触れても、ストッパー５ｃによってステム３ａは移動しないため、内容液の不用意な噴出も防止することができる。
【００２８】
また、このトリガー式噴出器によって容器１の内容液を操作者に向けて噴出させるにあたっては、キャップ体５を取り外し、ノズル３ｄの噴出口を操作者に向けた状態で、容器１の前方（ベース２の前方でもよい）を親指の根元で支持すると、容器１の後方（ベース２の後方）から操作部４ｅにかけての部位に他の指が自然にかかり、容器１と操作レバー４を片手で握るように保持することができる。このため、操作レバー４を無理なく引くことができる。そして操作レバー４が引かれると、図４に示すようにステム３ａが押し下げられてポンプが作動するため、操作者に向けて内容液を噴出させることができる。
【００２９】
以上、本発明について具体的な実施形態を示しながら説明したが、本発明に従うトリガー式噴出器は、上述した実施形態に限られるものではなく、特許請求の範囲に従う範疇で種々の変更を加えたものも含まれる。例えば、本実施形態のストッパー５ｃはＣ字状をなしていて、ステム３ａの縦部分３ｂに嵌合保持されるものであったが、例えばＵ字状をなし、縦部分３ｂには嵌合されないものでもよい。なおこの場合は、キャップ部５ａがノズル３ｄに嵌合保持されるように構成することが好ましい。
【符号の説明】
【００３０】
１：容器
１ａ：底部
１ｂ：胴部
２：ベース
２ａ：装着筒部
２ｂ：支持壁
２ｃ：軸部
２ｄ：支持壁傾斜部
３：ボディ
３ａ：ステム
３ｂ：縦部分
３ｃ：傾斜部分
３ｄ：ノズル
３ｅ：係合凸部
３ｆ：突起
４：操作レバー
４ａ：側壁
４ｂ：上向き傾斜部
４ｃ：窓穴
４ｄ：操作レバー補強部
４ｅ：操作部
５：キャップ体
５ａ：キャップ部
５ｂ：接続部
５ｃ：ストッパー
５ｄ：接続部補強壁
【図１】
2019189285.tif 000003
【図２】
2019189285.tif 000004
【図３】
2019189285.tif 000005
【図４】
2019189285.tif 000006